(57)【要約】鋼から成るブルームの製造方法であって、その際ストランドはストランド外被によって取り囲まれたメルトの状態で鋳型を通過し、かつ後方に配設されたストランド案内における上部フレーム及び又は下部フレームを備えたセグメントに支承された案内ローラの隙間は、案内ローラを連結する調整要素によって順次行われるステップで無段階に調整可能である前記方法に関する。その際前記隙間は、隙間の中心線の周りの振動によって案内ローラへの動的影響が無視できる程小さくなるように変えられる。隙間ー振動の振幅は、ストランド外被の塑性変形が生じないような大きさに調整される。案内ローラの実際の隙間が検出されかつ同時に調整要素の調整力並びに調整力の振幅が検出される。調整力の振幅が増大する際に隙間は、予め設定可能な値に隙間が調整され及び又は少なくとも１つの調整要素を介して圧力調整されて設定される。それから、ストランドに沿う多数の力／距離測定から、隙間の力／距離ダイヤグラムが検出され、力／距離ダイヤグラムは、それぞれ比較的小さい振幅の振動によって検出可能なそれぞれヒステリシスの形の多数の力／距離曲線から成るチエーンのように構成される。【特許請求の範囲】
【請求項１】
鋼から成るブルームの製造方法であって、その際ストランドはストランド外被によって取り囲まれたメルトの状態で鋳型を通過し、かつ後方に配設されたストランド案内における上部フレーム及び又は下部フレームを備えたセグメントに支承された案内ローラの隙間は、案内ローラを連結する調整要素によって順次行われるステップで無段階に調整可能であり、その際
ａ）前記隙間は、隙間の中心軸線の周りの振動による案内ローラへの動的影響が無視できる程小さいように変えられ、
ｂ）隙間の振動振幅は、ストランド外被の塑性変形が生じないような大きさに調整され、
ｃ）案内ローラの実際の隙間が検出され、
ｄ）同時に調整要素並びに調整要素の調整力が検出され、そして
ｅ）調整力の振幅の増大の際、隙間が予め設定可能な値に調整され及び又は少なくとも１つの調整要素を介して圧力調整されて設定される前記方法において、
ストランドに沿う力／距離の多数の測定値から、隙間調整の力／距離曲線が検出され、力／距離曲線がそれぞれヒステリシス曲線の形に形成され、ヒシテリシス曲線の形は、比較的小さい振幅の振動によって検出可能であることを特徴とする前記方法。
【請求項２】
その勾配に従うヒステリシスの形で検出された曲線は、システム「セグメントストランド」の実際の剛性のインデックスとして検出されかつ評価されることを特徴とする請求項１に記載の方法。
【請求項３】
記憶されたデータを有する検出された剛性特性値が、ー必要な方法で内挿可能又は外挿可能であるー経験値を記憶したデータベースと比較され、かつ認識可能な修正が相応した隙間調整によって修正されることを特徴とする請求項１又は２に記載の方法。
【請求項４】
比較的小さい振幅を有する振動による各ヒステリシス曲線から、案内ローラの調整された隙間が最適な大きさから、大きすぎるか又は小さすぎる方向に偏移し、その上で相応した修正が行われることを特徴とする請求項１から３までのうちのいずれか１つに記載の方法。
【請求項５】
ー例えば、面積の減少の際におけるヒステリシス曲線の面積の変化から、メルト領域の先端の位置が検出されることを特徴とする請求項１から４までのうちのいずれか１つに記載の方法。
【請求項６】
ー例えば、面積の減少の際のヒステリシス曲線の面積の変化から、ストランド安定性の増大が検出されることを特徴とする請求項１から４までのうちのいずれか１つに記載の方法。
【発明の詳細な説明】
【０００１】
【発明の属する技術分野】
本発明は、鋼から成るブルームの製造方法であって、その際ストランドはストランド外被によって取り囲まれたメルトの状態で鋳型を通過し、かつ後方に配設されたストランド案内における上部フレーム及び又は下部フレームを備えたセグメントに支承された案内ローラの隙間は、案内ローラを連結する調整要素によって順次行われるステップで無段階に調整可能であり、その際
ａ）前記隙間は、隙間の中心軸線の周りの振動によって、案内ローラへの動的影響が無視できる程小さいように変えられ、
ｂ）隙間の振動振幅は、ストランド外被の塑性変形が生じないような大きさに調整され、
ｃ）案内ローラの実際の隙間が検出され、
ｄ）同時に調整要素並びに調整要素の調整力が検出され、そして
ｅ）調整力の振幅の増大の際に、隙間が予め設定可能な値に調整され及び又は少なくとも１つの調整要素を介して圧力調整されて設定される、前記方法に関するものである。
【０００２】
【従来の技術】
ドイツ国特許第１９７２０７６８号明細書に記載された方法は、検出基準を案出することであり、その検出基準は、隙間が簡単な測定技術的並びに演算手段によって全ストランド案内を介して正確に調整可能でありかつその上ブルームの内部のメルト尖端の実際の位置が確実に特定されるようにされる。
【０００３】
方法は、本質的にストランドの振動発生による動的測定に関し、認識された偏位を所定の措置によって修正するために、１つの測定個所で、最適な隙間とはかけ離れた大きすぎる又は小さすぎる隙間が生じる傾向にあるかどうかが認識可能である。
【０００４】
動的測定では、隙間に対する調整力は、ヒステリシス曲線を生じる。ヒステリシス曲線は、外被が薄くかつメルト領域が比較的大きい場合に、比較的小さい面積を有する。ヒステリシス曲線は他方では、外被がさらに成長しかつメルト領域の容積が大きい場合に比較的大きな面積を有し、ストランドが硬化される場合に、特別に細長い形状を有する。
【０００５】
公知の方法では、隙間は意図するブルームの厚さの予め設定可能な中心線の周りの振動（オシレーション）によって変化する。その際力ー距離特性曲線が評価され、特に、必要な評価のために、力ー距離平面における特性曲線の勾配及びその交点が考慮される。
前記文献において、選択された振動の大きさが、動的影響が鋳型を通過した後でもなお比較的薄い外被で無視可能に小さく保持されるように選択され、その際隙間は、ストランド外被の塑性変形が生じないような大きさの振幅で振動するように調整されるべきであることが記載されており、この記載は、当業者にとって、技術的操作に基づいて明らかに追認可能な内容ではない。そのわけは公知の方法は、測定の全距離が一気に進められる領域における計算に基づく力ー距離曲線の振幅が、単一の振動周期のみの領域で検出されることから、少なくとも暗黙的に出発するからである。
【０００６】
しかし、上記の場合に対する実際の測定は、距離がー振動の出発点によりー、ストランドの塑性変形の危険が一連の組織傷を伴う程切迫してから行われる。
【０００７】
【発明が解決しようとする課題】
上記の認識及び経験から出発して、本発明の課題は、最適の測定結果を得る測定技術の実施の際に、ストランド外被の損傷的変形又は傷形成のような組織の障害による欠点及び困難性を確実に阻止するために、公知の方法を形式及び方法において改善することである。
【０００８】
【課題を解決するための手段】
本発明の課題の解決のために、本発明による請求項１の上位概念に記載された形式の方法では、ストランドに沿う多数の力ー距離測定から、隙間調整の曲線が検出され、その曲線は比較的小さい振幅の振動によってそれぞれ検出可能なヒステリシスの形に、多数の小さい力ー距離曲線から成るチェーンの形式に従って達成される。それによって公知の測定の実施の際の上記の形式の欠点及び困難性が確実に回避されかつ最適のストランド組織が得られることができる。
【０００９】
実際の鋳造運転のために、ストランド案内システムの最適な隙間の確実で、最も迅速な可能な検出及び調整が必要である。従って小さい振幅の各振動に従って、隙間が大きすぎるか小さすぎるかが認識可能である。この目的で、「チェーン」の各小さいヒステリシスの勾配が評価される。これは、測定個所のシステム「セグメントーストランド」の剛性に相応する。この剛性は、セグメント案内のために後置されたデータベースに記憶された値と比較される。このデータベースは、湯溜まりのような相異なるストランド幅及び硬化状態又は固体／液体段の移相領域に関する経験から得られた剛性値から把握される。
必要な方法で内挿され又は外挿されることができるこのデータベースとの比較は最適な隙間の比較における隙間に関する解明を与える。
【００１０】
方法の構成は、−例えば面積の減少の際にーヒステリシス曲線の面積の変化から、メルト領域の先端の位置が検出可能である。そして、−例えば面積の減少の際にーヒステリシス曲線の面積の変化から、ストランド安定性の増大が検出される。
【００１１】
本発明の実施例が図面に表されている。
【００１２】
【実施例】
隙間調整の力／距離ダイヤグラム
これは、多数の小さい力／距離曲線から構成され、小さい力／距離曲線は、それぞれ小さい振幅を有する振動によって検出される。こうして、実際の鋳造運転のために、最適の隙間の確実なかつ迅速な検出及び調整が認識可能かつ可能である。こうして、すでに、最小の振幅の振動により、隙間が大きすぎるか又は小さすぎるかが明らかにされかつ修正されねばならない。個々の曲線ー各々はヒステリシスに関するーは、チェーンのリンクのように互いに係合しかつストランドに沿って隙間に亘る調整力の経過を示す。本発明は、ストランドの「レントゲン像」を示しかつ最適な方法で冒頭に記載された課題を解決する。
【図面の簡単な説明】
【図１】
図１は、本発明による鋼製ブルームの製造方法における力ー距離曲線を表す図表である。
【図１】
2004505776.tif 000002
【国際公開パンフレット】
2004505776.tif 000003
2004505776.tif 000004
2004505776.tif 000005
2004505776.tif 000006
2004505776.tif 000007
2004505776.tif 000008
2004505776.tif 000009
2004505776.tif 000010
2004505776.tif 000011
【国際調査報告】
2004505776.tif 000012
2004505776.tif 000013
2004505776.tif 000014
2004505776.tif 000015